(57)【特許請求の範囲】
【請求項１】
バスドラム（１０）と、スネアドラム（２０）と、ハイハットスタンド（３０）とを備えるアコースティックドラムキット（１）であって、
前記スネアドラム（２０）は、平行六面体の全体外形形状をなし、
前記ハイハットスタンド（３０）は、平行六面体の全体外形形状をなす台座（３１）を含み、
前記バスドラム（１０）は、離間位置とコンパクト位置との間で互いに移動可能な２個の部品（１１,１２）を含み、
前記離間位置は、前記アコースティックドラムキット（１）の演奏形態において、前記バスドラム（１０）の前記２個の部品（１１,１２）が、平行六面体の全体外形形状の前記バスドラム（１０）を共同して提供し、ほぼ平行六面体をなす自由なバスドラムの共鳴容積（Ｖ１０）を部品間に共同して規定し、前記スネアドラム（２０）が前記バスドラム（１０）と前記ハイハットスタンド（３０）の前記台座（３１）とに対して取り外し可能に固定される位置であり、
前記コンパクト位置は、前記アコースティックドラムキット（１）の収納または運搬形態において、前記バスドラム（１０）の前記２個の部品（１１,１２）が、平行六面体の全体外形形状の前記バスドラム（１０）を共同して提供し、ほぼ平行六面体をなす収納容積を部品間に共同して規定し、前記収納容積は前記バスドラムの共鳴容積（Ｖ１０）より小さく、前記ハイハットスタンド（３０）の前記台座（３１）内に収容される前記スネアドラム（２０）と前記ハイハットスタンド（３０）とによって占められる位置であり、
前記バスドラム（１０）と前記スネアドラム（２０）とは、前記アコースティックドラムキット（１）の演奏形態において、前記スネアドラム（２０）を前記バスドラム（１０）上に取り外し可能に固定するのに適した第１の固定手段（１１４,２７）を備え、
前記ハイハットスタンド（３０）の前記台座（３１）と前記スネアドラム（２０）とは、前記アコースティックドラムキット（１）の演奏形態において、前記第１の固定手段（１１４,２７）と離して、前記スネアドラム（２０）を前記ハイハットスタンド（３０）の前記台座（３１）上に取り外し可能に固定するのに適した第２の固定手段（３６,２８）を備えた、
ことを特徴とするアコースティックドラムキット。
【請求項２】
前記バスドラム（１０）の前記２個の部品（１１,１２）は、雌部品（１１）と前記雌部品（１１）内に入れ子になることができる雄部品（１２）とからなり、前記離間位置において前記雌部品（１１）内に前記雄部品（１２）がわずかに部分的に入れ子になり、前記コンパクト位置において前記雄部品（１２）が前記雌部品（１１）内に、より多い部分で入れ子になる、ことを特徴とする請求項１に記載のアコースティックドラムキット。
【請求項３】
前記コンパクト位置における前記バスドラム（１０）の前記平行六面体の全体外形形状は３０ｃｍ×４５ｃｍ×１８ｃｍの寸法を有することを特徴とする請求項１または請求項２に記載のアコースティックドラムキット。
【請求項４】
前記バスドラム（１０）の前記２個の部品（１１,１２）の一方の部品（１１）は打撃パネル（１３）を備えるとともに、前記バスドラム（１０）の前記２個の部品（１１,１２）の他方の部品（１２）は、貫通孔（１８Ａ）が設けられた音響放出パネル（１８）を備える、ことを特徴とする請求項１乃至請求項３のいずれか１項に記載のアコースティックドラムキット。
【請求項５】
前記バスドラム（１０）の前記２個の部品（１１,１２）の一方の部品（１１）には、利用位置と収納位置との間で、前記バスドラム（１０）の当該部品のレストに対して移動可能な移動パネル（１７）が設けられ、前記利用位置においては前記バスドラム（１０）の前記２個の部品（１１,１２）が前記離間位置にある時に、前記移動パネル（１７）は、前記アコースティックドラムキット（１）の演奏形態において、前記バスドラム（１０）の前記２個の部品（１１,１２）の他方の部品（１２）と協働することで保持されながら、前記スネアドラム（２０）をそこに固定するために展開するように前記レストを占めるとともに、前記収納位置においては前記バスドラム（１０）の前記２個の部品（１１,１２）が前記コンパクト位置にある時に、前記アコースティックドラムキット（１）の収納または運搬形態において、前記スネアドラム（２０）と前記ハイハットスタンド（３０）と干渉しないように前記移動パネル（１７）が引き込められるように前記レストを占める、ことを特徴とする請求項１乃至請求項４のいずれか１項に記載のアコースティックドラムキット。
【請求項６】
前記アコースティックドラムキット（１）は、さらに前記バスドラム（１０）の前記２個の部品（１１,１２）の一方の部品（１１）に組み込まれたタムタム（１７）を含むことを特徴とする請求項１乃至請求項５のいずれか１項に記載のアコースティックドラムキット。
【請求項７】
前記移動パネル（１７）は打撃プレート（１７.１）と、貫通孔（１７Ａ）が設けられた音響出力プレート（１７.２）とを含む前記タムタム（１７）を形成し、両プレート間に独立した自由なタムタムの共鳴容積を形成することを特徴とする請求項５に従属する請求項６に記載のアコースティックドラムキット。
【請求項８】
前記スネアドラム（２０）は、貫通孔（２２Ａ）が設けられた音響出力パネル（２２）と、打撃パネル（２１）であって、当該打撃パネル（２１）の方を向いたその表面上に、少なくとも１個の響線（２６）が設けられた、打撃パネル（２１）とを含み、前記音響出力パネル（２２）と前記打撃パネル（２１）との間にスネアドラムの独立した自由な共鳴容積（Ｖ２０）を形成する、ことを特徴とする請求項１乃至請求項７のいずれか１項に記載のアコースティックドラムキット。
【請求項９】
前記第１の固定手段（１１４,２７）は、少なくとも２つの異なる調整位置に、前記スネアドラム（２０）を前記バスドラム（１０）上に固定するのに適していることを特徴とする請求項１乃至請求項８のいずれか１項に記載のアコースティックドラムキット。
【請求項１０】
前記ハイハットスタンド（３０）の前記台座（３１）は、前記コンパクト位置において前記バスドラム（１０）の前記２個の部品（１１,１２）間に入れ子になることができ、前記スネアドラム（２０）は、前記アコースティックドラムキット（１）の収納または運搬形態において前記台座（３１）内で入れ子になることができる、ことを特徴とする請求項１乃至請求項９のいずれか１項に記載のアコースティックドラムキット。
【請求項１１】
前記ハイハットスタンド（３０）は、前記アコースティックドラムキット（１）の演奏形態において前記台座（３１）とハイハットシンバル（３）間に挿入されるとともに、前記アコースティックドラムキット（１）の収納または運搬形態において前記台座（３１）内に収容されるスペーサー（３８）をさらに含むことを特徴とする請求項１乃至請求項１０のいずれか１項に記載のアコースティックドラムキット。
【請求項１２】
前記ハイハットスタンド（３０）は、展開位置と引き込み位置との間で、前記台座（３１）に対して、その長手方向に沿って移動可能な、上側ハイハットシンバル（４）をコントロールするためのロッド（３１０）を含み、前記展開位置においては、前記アコースティックドラムキット（１）の演奏形態において前記上側ハイハットシンバル（４）を固定するために、前記台座（３１）の反対側に位置する前記スペーサー（３８）の端部から前記ロッド（３１０）が出現するまで、前記ロッド（３１０）は前記台座（３１）の外に出て前記スペーサー（３８）を通って延在するとともに、前記引き込み位置においては、前記アコースティックドラムキット（１）の収納または運搬形態において前記ロッド（３１０）が前記台座（３１）内に収納される、ことを特徴とする請求項１１に記載のアコースティックドラムキット。
【請求項１３】
前記ハイハットスタンド（３０）は、さらに前記アコースティックドラムキット（１）の演奏形態において前記台座（３１）に対して、前記ロッド（３１０）を前記展開位置で移動させるのに適したペダル（３２０）を含み、前記ロッド（３１０）は前記アコースティックドラムキット（１）の収納または運搬形態において前記台座（３１）内に収容されることを特徴とする請求項１２に記載のアコースティックドラムキット。
【請求項１４】
前記バスドラム（１０）と、前記スネアドラム（２０）と、前記ハイハットスタンド（３０）の総重量は、５．７ｋｇ未満であることを特徴とする請求項１乃至請求項１３のいずれか１項に記載のアコースティックドラムキット。
【請求項１５】
請求項１乃至請求項１４のいずれか１項に記載のアコースティックドラムキット（１）と、
バスドラムペダルと、
一組のハイハットシンバル（２）と、
一組のドラムスティックあるいはブラシと、
を含む楽器の構成。
【発明の詳細な説明】
【技術分野】
【０００１】
本発明はアコースティックドラムキットに係り、またアコースティックドラムキットを構成する楽器の構成に係る。
【０００２】
本発明に係る楽器は、特に職業演奏と趣味演奏のいずれもの利用のための打楽器である。
【背景技術】
【０００３】
この分野では、アコースティックドラムキットは、一般的な形態として、バスドラムと、スネアドラムと、ハイハット、すなわちフッドペダルのついた一組のシンバルとを含むか、あるいはそれらで構成された、打楽器の構成が知られている。このようなドラムキットはそれを構成する楽器を重ねた時の嵩が大きくなるため、収容するのが難しく、またさらに運搬が難しく、またドラマーが自分のドラムキットを携えることを希望して飛行機で移動する場合などは、相当の高額な運賃を要する。
【０００４】
この問題を打開するために、一般に「パッド」と呼ばれている、平らなパンケーキのような形状のパネルを備えた、多少なりともアコースティックドラムキットの感触を再生する電子ドラムキットがある。しかし、これは、それ自体音量を発生させず、これらのパネルを叩くことで生じる振動は特別な電子機器によって増幅されるようになっている。電子ドラムキットは一旦収納されると、これらのパネルは、従来のアコースティックドラムキットを構成する器材よりもスペースをとならないため、電子ドラムキットの運搬はより容易である。しかしながら、この種の電子ドラムキットは高価であり、何よりも電子ドラム楽器は、アコースティックドラムキットを演奏した際と同等の音響効果や感触を生じない。
【発明の概要】
【発明が解決しようとする課題】
【０００５】
本発明の目的は、高音質の音を出せる一方、収納と運搬とが容易なアコースティックドラムキットを提供することにある。
【課題を解決するための手段】
【０００６】
この目的のために、本発明は請求項１に記載されたアコースティックドラムキットに関する。
【０００７】
本発明の基礎としての思想の１つは、対応するアコースティックドラムキットを、収納し運搬したい時に、スネアドラムとハイハットスタンドのための収納場所としてバスドラムをうまく利用することにある。この目的のために、バスドラムは互いに移動可能な２個の部品を構成している。バスドラムの２個の部品が離間位置にある時、その位置にあるバスドラムは打楽器として使用できると同時に、内部の空間はバスドラムの共鳴容積となり、スネアドラムのための取り外し可能な固定支持台としても役立つ。スネアドラムはハイハットスタンドにも取り外し可能に固定される。バスドラムと、スネアドラムと、ハイハットスタンドとは、その演奏形態において、従来技術のアコースティックドラムキットのそれぞれと同等に配置される。本発明によるドラムキットがその演奏形態において、演奏できるようにするためには、ドラマーは、たとえば市販されているような、一組のシンバルとバスドラムペダルをドラムキットと組み合わせ、それぞれをハイハットスタンドとバスドラムに取り付ける必要があり、ドラマーはそれ自体知られ、市販されている一組のドラムスティックやブラシを用いる必要がある。スネアドラムとハイハットスタンドとがバスドラムの２個の部品の間に収容された際、バスドラム内部で配置された、バスドラムの２個の部品の第一のコンパクト位置において、ドラムキットは、特に小さな総体積となり、そのとき収納または運搬形態にある。特に、収納または運搬形態にある本発明によるドラムキットは、主要な航空会社で認められた手荷物のための一般的な寸法条件に適応する一方、対応する重量条件にも適応することが好ましい。このように、本発明によれば、ドラマーはドラムキットを手荷物として携えて飛行機で旅行することができる。実際、本発明によるドラムキットによる演奏形態と、収納または運搬形態との間の移行は、短時間、すなわち数十秒で容易に行える。
【０００８】
本発明は、また請求項１５に定義したように、楽器の構成にかかるものである。
【０００９】
本発明に係るアコースティックドラムキットと楽器の構成のさらなる利点は、従属する請求項において明示されている。
【００１０】
本発明は、実施例として単に提示され、図面に関連してなされた以下の説明に基づいて、より理解される。
【図面の簡単な説明】
【００１１】
【図１】本発明によるアコースティックドラムキットの構成器材を互いに分離した状態を、それぞれの角度から見た斜視図。
【図２】本発明によるアコースティックドラムキットの構成器材を互いに分離した状態を、それぞれの角度から見た斜視図。
【図３】図１に示したドラムキットの演奏形態を、それぞれの角度から見た斜視図。
【図４】図１に示したドラムキットの演奏形態を、それぞれの角度から見た斜視図。
【図５】図１に示したドラムキットの演奏形態を、それぞれの角度から見た斜視図。
【図６】図１に示したドラムキットの演奏形態を、それぞれの角度から見た斜視図。
【図７】図４の円形詳細ＶＩＩの拡大図。
【図８】図１のドラムキットが図３〜６に示された演奏する形態から、図１１に示された収納または運搬形態への順を追った移行を、異なった角度から示した斜視図。
【図９】図１のドラムキットが図３〜６に示された演奏する形態から、図１１に示された収納または運搬形態への順を追った移行を、異なった角度から示した斜視図。
【図１０】図１のドラムキットが図３〜６に示された演奏する形態から、図１１に示された収納または運搬形態への順を追った移行を、異なった角度から示した斜視図。
【図１１】図１のドラムキットが図３〜６に示された演奏する形態から、図１１に示された収納または運搬形態への順を追った移行を、異なった角度から示した斜視図。
【発明を実施するための形態】
【００１２】
図１〜図１１は、３個の主な構成器材、すなわちバスドラム１０、スネアドラム２０、及びハイハットスタンド３０を備えるアコースティックドラムキット１を示している。以下において、引き続きこれらの構成器材の詳細を説明する。
【００１３】
図３〜図７において、バスドラム１０、スネアドラム２０、及びハイハットスタンド３０は、ドラムキット１の演奏形態、すなわちドラムキットの利用者、言い換えるとドラマーが、従来技術のアコースティックドラムキットを用いた場合と同様にドラムキット１を演奏できるような形態、に組み立てられている。図１１において、バスドラム１０、スネアドラム２０、及びハイハットスタンド３０は、ドラムキット１が収納または運搬形態となるように、互いに配置され、ドラムキット１は、図８〜図１０に示された進行途中の収納形態を経て、図３〜図７の演奏形態から図１１の収納または運搬形態となる。図１，２において、スネアドラム２０と、利用者によって解体された状態のバスドラム１０の部品と、利用者によって解体された状態のハイハットスタンドの部品とは、互いに分離した状態で示されている。
【００１４】
便宜のために、以下の開示は、ドラムキットが演奏形態にあり、水平と見なされた床上に置かれた場合の、ドラムキット１の演奏者に対する配向を考慮している。
【００１５】
バスドラム１０は２つの主要部品を含む、すなわち前面部品１１と背面部品１２とで、それぞれの部品はバスドラム１０のほぼ半分に相当する。バスドラム１０の前面部品１１と背面部品１２とは、２個の独立した部材から構成され、部材同士は互いに動かすことができ、また図１，２に示したように、実用上の理由で互いに分離することもできる。
【００１６】
図１，２で明らかに示されたように、前面部品１１はそれぞれ前面主パネル１３と、左右２枚の側面パネル１４とから構成されている。各前面パネル１３，側面パネル１４は実質的に平板である。前面パネル１３，側面パネル１４は、何らかの適当な手段を用いて互いに取り外し不能に堅固に固定されている。
【００１７】
側面パネル１４は前面パネル１３の対向する側端から、前面パネル１３とほぼ直角をなすように後方に向けて延在している。水平面での断面図において、前面パネル１３と２枚の側面パネル１４とは一体として後方を向いたＵ字形状を有する。
【００１８】
パネル１３，１４は同一の高さ寸法し、これらの上端は互いに面一となっており、下端も面一となっている。
【００１９】
ドラムキット１の演奏形態において、前面部品１１のパネル１３，１４の各下端は、前述したＵ字形形状によって、バスドラム１０の前面部品１１を安定して自立状態で床上に保持する。
【００２０】
前面パネル１３の下端にはバスドラムのペダルのための取付部材１５が設けられており、図示されていないが、ドラマーの右足でコントロールするように設けられている。このパネルはドラマーがペダルの特別なハンマーを使ってパネル１３の前面を叩けるようにバスドラム１０に取り付けられなければならない。この種のバスドラムペダルはそれ自体知られており、従来技術のアコースティックドラムキット用のアクセサリーとして市販されている。限定されない実施例として、取付部材１５は、たとえばゴム等の滑り止めコーティングが施された板材からなり、バスドラムのペダルの良好な保持を保証している。ドラムキット１の演奏形態において、この板材はパネル１３の下端の前方に向けて突出しているが、ドラムキット１の収納または運搬形態においては、後方に少なくとも部分的に、特にパネルの厚さ分だけ内に引き込まれることが好ましい。
【００２１】
図１〜４で明らかに示されたように、パネル１３の前面はフェルト１６等が設けられており、そのフェルト位置においてバスドラムペダルのハンマーがパネル１３を叩くように配置され、これによって音の衝撃を弱め、発生音をこもったようにする。フェルト１６はバスドラムペダルのハンマーで叩かれるパネル１３の領域の視覚的な目印にもなる。
【００２２】
図２で明らかに示されたように、前面パネル１３の背面には移動パネル１７が設けられ、このパネル１７は実質的に平板からなり、水平な幾何学的な軸Ｙ−Ｙ周りに傾斜可能なようにパネル１３の上端に止められている。傾斜するパネル１７の重要点は後述する。
【００２３】
図１，２で明らかに示されたように、バスドラム１０の背面部品１２は背面主パネル１８と２枚の左右の各側面パネル１９とを含む。各パネル１８，１９は実質的に平板からなる。パネル１８，１９は、何らかの適当な手段を用いて取り外し不能に堅固に固定されている。
【００２４】
側面パネル１９は背面パネル１８の対向する側端からそれぞれ前面に向かって、パネル１８に相互に直角をなすように延在する。このように、平断面において、パネル１８，１９は、一体として、バスドラム１０の背面部品１２に、前方を向いたＵ字形状を提供する。図１において、ｅ１１で示された、背面パネル１８を挟んで対向する側面パネル１９の各表面間の水平方向離れは、図１において、ｅ１２で示された、前面パネル１３を挟んで対向する全面部品１１の側面パネル１４の各表面間の水平方向離れと等しいか、わずかに小さく、このように図１０，１１に示したように、背面部品１２は、相補的な雌部を形成する前面部品１１内に入れ子となるような寸法の雄部を形成し、この前面部品１１と背面部品１２との間の入れ子は所定の調整された方法によってパネル１４間へのパネル１９の配置を構成する。
【００２５】
背面部品１２のパネル１８，１９は同一の高さ寸法を有し、その寸法は前面部品１１のパネル１３，１４の高さとほぼ等しい。パネル１８，１９の各上端は、互いに面一となっている。同様にパネル１８，１９の各下端も互いに面一であり、それら下端はドラムキット１の演奏形態において、Ｕ字形状により、背面部品１２を安定的かつ自立した状態で床上に保持する。
【００２６】
背面パネル１８には貫通開口１８Ａを形成し、このように、パネル１８の前面と背面とは互いに接続される。
【００２７】
図２に明らかに示されたように、背面パネル１８の前面の上端には２個の突起１１０が、より一般的には少なくとも１個の起伏部が設けられるが、これらの重要点は後述する。
【００２８】
バスドラム１０の前面部品１１と背面部品１２とは、２個の異なる位置において、すなわち、図１〜６に示されたような、ドラムキット１の演奏形態における離間位置と、図１１に示されたように、ドラムキットの収納または運搬形態におけるコンパクト位置に、相対的な移動を条件として、互いが動かないように組み立てられるように設計されている。バスドラム１０の前面部品１１と背面部品１２とが離間位置にある時、明らかに図４〜６に示されたように、背面部品１２は前面部品１１にわずかな部分が入れ子状態となり、同様に背面部品１２のパネル１９の各開放された端部のみが前面部品１１のパネル１４の間に配置されるのに対して、バスドラム１０の前面部品１１と背面部品１２とがコンパクト位置にある時は、背面部品１２は完全に前面部品１内に入り込むような入れ子状態となり、パネル１９のほとんどの部分は離間位置にある場合よりもパネル１４間に配置され、あるいはパネル１８と同様にパネル１９の全てが、図１１に示したようにパネル１４間に配置される。
【００２９】
両位置、すなわち離間位置とコンパクト位置とにおいて、前面部品１１のパネル１３，１４の上端と背面部品１２のパネル１８，１９の上端とは面一となり、またパネル１３，１４の下端とパネル１８，１９の下端も面一となる。このように、バスドラム１０の前面部品１１と背面部品１２の２つの相対的な位置において、これら前面部品１１と背面部品１２とは一体としてバスドラム１０は外形全体が平行六面形となり、その形状は、図３〜１１を対比して明らかに示されるように、第１の離間位置での平行六面形の水平方向寸法は、コンパクト位置での平行六面形のそれより十分大きい。好ましい寸法としては、前面部品１１と背面部品１２とがコンパクト位置にある場合、平行六面外形の寸法は３０ｃｍ×４５ｃｍ×１８ｃｍで、主要な航空会社の機内持ち込み手荷物の一般的な要件寸法に対応している。
【００３０】
さらに、バスドラム１０の前面部品１１と背面部品１２の離間位置とコンパクト位置との両方において、前面部品１１と背面部品１２のパネル１３，１４，１８，及び１９は、両位置の間において、実質的な平行六面体状の内部容積であって、コンパクト位置における内部容積より離間位置における内部容積が大きいような内部容積を一体として形成する。以下に説明するように、この内部容積は、バスドラム１０の前面部品１１と背面部品１２とがコンパクト位置においては、ドラムキット１の収納または運搬形態において、スネアドラム２０とハイハットスタンド３０とによって、その大部分またはほとんどすべてが満たされ、占有されるようになる。反対に、ドラムキット１の演奏形態において、内部容積は、図６でＶ１０として参照されたバスドラムの共鳴容積を形成するように独立して自由に形成された離間位置における前面部品１１と背面部品１２のパネルによって形成される。このバスドラムの共鳴容積Ｖ１０は、前面部品においては、打撃面を形成するパネル１３によって形成され、背面側においては、開口１８Ａを介して音の出力パネルを形成するパネル１８によって形成されることが理解できる。
【００３１】
離間位置とコンパクト位置のそれぞれに対して互いにバスドラム１０の前面部品１１と背面部品１２とを保持するために、前面部品１１と背面部品１２とには、離間位置とコンパクト位置とにおいて、堅固にまた選択的にそれぞれの部品を組み立てることを可能にするために特別な手段が提供されている。各図において例として示された、これらの組立手段は、背面部品１２のパネル１９内にそれぞれ形成された２個のタップ穴１１１と、タップ穴１１１に相補的な２個の蝶ネジ１１２とからなる。各蝶ネジ１１２は前面部品１１の側面壁１４によって形成された貫通孔１１３を通じて挿入できる。各側面パネル１４には２個の貫通孔１１３が形成され、当該貫通孔は、図３と図１１において比較して示したような離間位置とコンパクト位置において、対向するパネル１９のタップ穴１１１と位置が一致するように配置されている。もちろん、これらの組立手段の他の実施例、特に工具無しで機能することができるようなものも考慮することができる。
【００３２】
パネル１３，１４，１８，及び１９は木製であることが好適であり、特にポプラ材を主材とするものやベニヤ板のような多層合板によって製作されることが好ましい。高音質を得るためには、前面パネル１３は、前面部品において、打撃プレート１３．１はバスドラム１０の他のどのパネルの厚さより薄くし、またその前面表面はタンガニーカ産のくるみ材から作られ、打撃プレート１３．１の裏面表面の周辺を縁取るフレーム１３．２はりは、図２に明らかに示されたように、側面パネル１４に保持されている。
【００３３】
以上に示したように、パネル１７は前面部品１１のパネル１３に対して軸Ｙ−Ｙ回りに傾いて取り付けられている。このパネル１７は、このように図３〜６に示したような利用される位置と、図２に示したような収納位置との間で、傾きを変えることができ、図９〜１１では実線で示されている。図２で破線で示されたパネル１７は利用位置と収納位置との間の中間の傾けた位置にある。利用位置において、パネル１７は水平に延在し、言い換えれば前面パネル１３に直角で、これにより前面パネル１３に対して展開され、一方、収納位置ではパネル１７は鉛直に延在し、前面パネル１３の背面に対して押されながら内部に引きこまれた状態にある。重力作用によって、パネル１７は収納位置をとる傾向にあり、収納位置から利用位置へのパネルを持ち上げは、ドラムキット１を組み立てる際に利用者が自力で行う。バスドラム１０の前面部品１１と背面部品１２が離間位置にある時、パネル１７は背面部品１２との協働によりその利用位置が保持される。図を参照した実施例において、パネル１７は、図６に示したように、背面部品１２の背面パネル１８の前面から突出した突起１１０上の開放端での重力的な支持によりその利用位置が維持され、図５に示したように、パネル１７は側面パネル１９間に入れ子となるような寸法に形成され、このように、利用位置におけるパネル１７はバスドラムの共鳴容積Ｖ１０の上面を塞ぐことが理解できる。
【００３４】
パネル１７は木製であることが好適であり、特にベニヤ板のような多層合板によって製作されることが好ましい。このパネル１７は単一の木で作ることもできるし、図を参照した実施例においても実現しているように、好適な一実施形態によれば、パネル１７は利用位置において上方を向いた面に、パネル１７の他の面より薄い板厚で、上方を向く表面がタンガニーカ産のくるみ材から作られている打撃プレート１７．１を備える。パネル１７はさらに、その面が打撃プレート１７．１と対向する、図６から分かるように、貫通開口１７Ａが形成された音響出力プレート１７．２を備えている。この開口１７Ａはバスドラムの共鳴容積Ｖ１０内で下向きに現れ、パネルが利用位置にある時、プレート１７．１、１７．２との間において、たとえばプレート１７．２の厚さでパネル１７によって形成された独立した自由な空間内で上向きに現れる。この独立した自由空間はドラムキット１の演奏形態と同様に、タムタムの共鳴容積を構成するので、ドラマーはドラムスティックあるいはドラムブラシを使って利用位置にあるパネル１７のプレート１７．１を叩くことで、タムタムの出す音を得ることができる。さらに広く、このようにして、このドラムキット１は、パネル１７を形成する際に、バスドラム１０内、より具体的には前面部品１１にこのタムタムを組み込むことにより、ドラムキットの全体の嵩を増やすことなく、付加的な打楽器の構成、すなわちタムタムを含むことが理解できる。
【００３５】
スネアドラム２０は２枚の平行な主要なパネル、すなわち上面パネル２１と下面パネル２２とから構成されている。上面パネル２１と下面パネル２２のそれぞれの周縁は、前面パネル２３、背面パネル２４、及び左右の側面パネル２５によって互いに接続されている。パネル２１〜２５は実質的に平板状で、互いに、何らかの適当な手段を用いて取り外し不能に堅固に固定されている。
【００３６】
図１〜６に示したように、パネル２１〜２５は、スネアドラム２０に全体的に平行六面外形を提供する。好ましい寸法の一例によれば、この平行六面体の外形寸法は、２３．３ｃｍ×２５．５ｃｍ×９．７ｃｍである。
【００３７】
パネル２１〜２５は一体として、独立した自由なスネアドラムの共鳴容積Ｖ２０を構成する、実質的に平行六面体をなすスネアドラム２０内に内部容積を規定する。スネアドラムの共鳴容積Ｖ２０は上面パネル２１によって上方側に規定され、これにより上面パネルはドラムキット１の演奏形態において、ドラマーはドラムスティックあるいはドラムブラシを使ってその上面を叩く打撃パネルを形成する。共鳴容積Ｖ２０内で発生された音がスネアドラムの特徴的なものとなるように、パネル２１の下面にはパネル２１の上面が叩かれた時に振動する響線２６が設けられている。図において考慮された実施例において、２個の響線２６は２組の金属線からなり、金属線の一端はそれぞれ側面パネル２５に固定されている。スネアドラムの共鳴容積Ｖ２０は下面パネル２２によって下方側に規定され、パネル２２によって規定された貫通開口２２Ａを介して音響出力パネルが形成されている。
【００３８】
パネル２１〜２５は木製であることが好適であり、特にポプラ材を主材とするものやベニヤ板のような多層合板から作られることが好ましい。高音質を得るためには、パネル２１の上面は、タンガニーカ産のくるみ材から作られる。
【００３９】
図３〜７に示したように、スネアドラム２０は、ドラムキット１の演奏形態において、バスドラム１０上に固定されている。さらに具体的には、スネアドラム２０の下面パネル２２は、利用位置において、バスドラム１０のパネル１７に、パネル２２の下面の右側がパネル１７の上面の一部にわずかに乗るように固定されている。スネアドラム２０のパネル２２とバスドラム１０のパネル１７には、ドラマーがドラムキットを演奏している間のドラムキット１の演奏形態において、バスドラム１０上のスネアドラム２０の位置が保持できるような、対応する取り外し可能な固定手段が設けられている。図において考慮された実施例において、これらの取り外し可能な固定手段は、スネアドラム２０によって覆われるべきパネルの領域において、パネル１７からしっかりと突出するように配置された帯磁ピン１１４と、ピン１１４と相補的で、パネル２２によって規定された、強磁性の底部２７を有する穴から構成されている。ドラムキット１の演奏形態において、ピン１１４は凹部２７内に収容され、穴の底部と接触した状態の位置にあり、これにより、ピン１１４と凹部２７との間の形状の一致と、ピンと穴の底部との間の磁気的なロックとの両者により、スネアドラム２０とバスドラム１０とは互いに対して固定された位置関係となる。もちろん、スネアドラム２０とバスドラム１０との間の固定手段としてはドラマーが演奏する際、ドラムキット１の演奏形態においては、これらの固定手段がスネアドラムとバスドラムとを所定位置を保持することができる一方、ドラムキットを演奏形態から収納または運搬形態に移行させるために、スネアドラムとバスドラムとを互いに分離させるのに特に道具を用いることなくできる限り、他の各種の実施例が考えられる。
【００４０】
図において考慮された実施例において実施されるような、好適な一配置によれば、図２で明らかに示されたように、この方法では２個の凹部２７が設けられており、ドラムキット１を演奏形態に配置するために、バスドラム１０とスネアドラム２０とを互いに組み立てる際に、利用者は２個の利用可能な凹部のうちから、実際にピン１１４を収容する凹部２７を選択し、このように、これらの２個の凹部は、それぞれ２箇所の異なる調整位置に対応する。この調整の選択は利用者に対して、バスドラム１０とスネアドラム２０との相対的な位置取りにおいて、演奏者の演奏形態や演奏のパフォーマンスに関して、ドラムキット１の演奏形態を最良の状態にすることを可能にする。
【００４１】
図３〜７で明らかに示されたように、ハイハットスタンド３０は、ドラムキット１の演奏形態において、床上に立つ台座３１を含む。台座３１は、全体的に平行六面外形を有するが、前方を向く面以外の全ての面が閉じられている。このように、台座３１は背面主パネル３２と、上面パネル３３と、下面パネル３４と、それぞれ左右の側面パネル３５とからなり、パネル３３，３４，３５はそれぞれそれと直角をなす背面パネル３２の周縁から前方に向けて延在する。各パネル３２〜３５は実質的に平板状である。パネル３２〜３５は、互いに充分に堅固に固定されている。台座３１の内部容積は、パネル３２〜３５によって一体的に規定され、前面側で台座３１の外側に向けて開放されている。
【００４２】
ドラムキット１の演奏形態において、スネアドラム２０は、上述したように、バスドラム１０上に取り外し可能に固定されるのに加え、ハイハットスタンド３０の台座３１上に取り外し可能に固定されている。より具体的には、スネアドラム２０の下面パネル２２はパネル２２の下面の左側部分がパネル３３の上面に乗って、パネル３３のわずかな部分を覆って、台座３１の上面パネル３３上に固定されている。ドラムキット１の演奏形態におけるスネアドラム２０の水平性を保証するために、台座３１の縦寸法はバスドラム１０の縦寸法と等しく、これにより上面パネル３３がバスドラムの利用位置におけるパネル１７と同じ高さに揃えられていることが理解できる。
【００４３】
図３〜６に明らかに示されたように、ドラムキット１の演奏形態において、バスドラム１０とハイハットスタンド３０の台座３１とは、スネアドラム２０がバスドラム１０とハイハットスタンド３０の台座３１の両者に対して片持ち状態となるように、水平方向に沿って互いに所定の離れを有し、このようにして、スネアドラム２０の下面パネル２２の貫通開口２２Ａは、バスドラム１０とハイハットスタンドの台座３１との間に設けられた、スネアドラムの外部の自由な空間に現れる。
【００４４】
スネアドラム２０とバスドラム１０との間を取り外し可能に固定することに関し、以上に展開された検討と同様の技術的検討によれば、スネアドラムとハイハットスタンド３０の台座３１には、ドラムキット１の演奏形態において、スネアドラム２０と台座３１とを、互いに所定位置に保持することを可能にする、取り外し可能な固定手段が設けられている。図において考慮された実施例において、固定手段は、台座３１の上面パネル３３から十分に突出するように形成された、２個の帯磁したピン３６と、スネアドラム２０の下面パネル２２に形成され、ピン３６とそれぞれ相補的である、磁化した底部２８を有する２個の穴とから構成されている。ドラムキット１の演奏形態において、ピン３６はそれぞれ凹部２８内に収容され、各穴の底部にそれぞれ接触して位置する。下面パネル２２、従ってスネアドラム２０は、ピン３６と凹部２８との間の形状の合致と、ピンと穴の強磁性の底部との間の磁力ロックとの両者によって、上面パネル３３、従って反対位置のハイハットスタンド３０の台座３１上に乗って塞がれる。もちろん、ピン１１４と凹部２７について上述したように、ピン３６と凹部２８以外の実施例についても、スネアドラム２０とハイハットスタンド３０の台座３１との間の取り外し可能な固定手段について考慮することができる。
【００４５】
スネアドラム２０と、一方でバスドラム１０との間、他方でハイハットスタンド３０との間の固定手段のために、ドラムキット１の演奏形態において、スネアドラム２０がバスドラム１０とハイハットスタンド３０の間を接続し、相対的な位置決めを行うブリッジを形成することが理解できる。
【００４６】
さらに、台座３１はその外形寸法によって、まとめられた状態において、バスドラム１０の前面部品１１と背面部品１２の間のバスドラムの内部に収容されるように設計されている。さらに具体的には、図１０，１１に示したように、台座３１はバスドラム１０の背面部品１２の内部に完全に入れ子にできる。台座３１の側面パネル３５は、ドラムキット１の収納または運搬形態において、背面部品１２の側面パネル１９と、台座３１の前面側を閉じる背面部品１２の背面パネル１８との間に調整された方法によって受け入れられる。
【００４７】
ハイハットスタンド３０の台座３１は、図８に示したように、ドラムキット１の収納または運搬の形態において、内部的にスネアドラム２０を完全に受け入れられるような寸法となっている。さらに具体的には、スネアドラム２０は台座３１の内部に完全に入れ子にできる。スネアドラムの側面パネル２５は台座３１の側面パネル３５間に調整された方法によって受け入れられる。
【００４８】
ハイハットスタンド３０も台座３１と分離したスペーサー３８を含んでいる。ドラムキット１の演奏形態において、スペーサー３８は、台座３１と図４中に点線で示された一組のハイハットシンバル２の下側のシンバル３との間に縦方向に挿入される。考慮された実施例おいて、スペーサー３８は縦方向に延びたブロック形状をなす。ドラムキット１の演奏形態において、スペーサー３８の下端はハイハットスタンド３０の台座３１の上面パネル３３上に載った状態にある。スペーサー３８の上端は下側シンバルの下向きのサポートを形成する。スペーサー３８の上端はシンバル３を所定位置に保持するのに都合の良い滑り止めパッド３９を備えることが好ましい。
【００４９】
スペーサー３８は、ドラムキット１の収納または運搬形態において、図８，９に示したように、スネアドラム２０とともに、一体として、ハイハットスタンド３０の台座３１内に完全に収容されるような寸法となっている。ここで考慮された実施例において、スペーサー３８は、台座３１の側面パネル３５の互いに対向する面間の水平離間距離よりも厳密に短い縦寸法を有し、これによりドラムキット１の収納または運搬形態において、スペーサー３８は台座３１の側面パネル３５間において、ほぼ水平をなして配置することができる。
【００５０】
また、ハイハットスタンド３０は一組のシンバル２の上側シンバル４のための調整ロッド３１０を備えている。ロッド３１０は、台座３１とスペーサー３８とから分離しており、ドラムキット１の演奏形態において、ロッドが鉛直方向に延在するように、長さ方向に移動可能に台座３１に支持されている。このように、ロッド３１０はドラムキット１の演奏形態のように展開した位置と、収納または運搬形態のように引き込まれた位置との間において、台座３１に対して移動可能である。この展開位置において、ロッド３１０は、大部分が台座３１の外側に延び、明らかに図３〜５に示されたように、スペーサー３８と同様に、台座の上面パネル３３と同様に、スペーサー３８の下端と上端との間を、ロッドがスペーサー３８の上端から現れるまで上下方向に横切る。このように、ロッド３１０が展開した位置において、ロッドは下側シンバル３を自由に上下方向に横切り、下側シンバルに対して開く動作をし、上側シンバル４は何らかの適当な手段を用いてロッド３１０の上端に固定される。１組のシンバル２はそれ自体知られており、従来技術のアコースティックドラムキットのアクセサリーとして市販されている点、言及しておく。ロッド３１０は引き込まれた位置では台座３１の外側に延在せずに、図８の点線で示されたように、台座内に完全に収容される。実際にはロッド３１０の長手方向の長さは台座３１の縦寸法に等しいか短いということが理解できる。
【００５１】
スネアドラム２０が収容されている際に、ロッド３１０の台座３１内への引き込みが妨げられないように、スネアドラムの前面パネル２３には、引き込まれた状態では、その位置を通してロッド３１を受け入れるように配置された貫通孔２９が形成されている。貫通孔２９は、ドラムキット１の収納または運搬形態における引き込み位置において、ロッド３１０が台座３１内にスネアドラム２０が所定位置に保持される程度にロッド３１０と実質的に相補的であることが好ましい。
【００５２】
ロッド３１０は、展開した位置において、ドラムキット１の演奏形態において、一組のハイハットシンバル２の上側シンバル４が移動するように台座３１に対する長手方向の移動性が保持されている。展開位置での台座３１とロッド３１０との間の移動可能な接続は、図７に詳細が示されたように、台座３１内の、上面パネル３３の領域のすぐ下方に堅固に組み込まれ、ロッド３１０がその内部を上下方向に横切るハウジング３１２においてなされる。本実施例において、ハウジング３１２は台座３１の側面パネル３５の一方に固定されている。ハウジング３１２は、ハウジングを通って、チューブの長手方向に沿ってスライドするように装着された鉛直チューブ３１４を備えている。チューブ３１４の上方には、チューブ３１４内部にまで噛み合うような、ローレットネジ３１６によって横方向に横切られる外側リング３１５をしっかりと備える。ロッド３１０はチューブ３１４内を長手方向に沿ってスライド可能に装着されており、ロッド３１０はロッドが展開位置及び引き込み位置にある両方の場合に、ネジ３１６の締め込みによりチューブ３１４に堅固に接続される一方、ネジ３１６の締め付けを緩めた時には、ロッド３１０が展開位置と引き込み位置との間を通過できるように、ロッドはチューブ３１４内を自由に移動できる。
【００５３】
ハウジング３１２の下端から出現したロッド下端において、チューブ３１４には引張ロープ３１８を固定するための外側リング３１７が堅固に備えられている。引張ロープ３１８を下方に引くことで、チューブ３１４はハウジング３１２に対して、したがってハイハットスタンド３０の台座３１に対して下方に移動する。ケーブル３１８のリング３１７に固定された端部と反対側の端部はハイハットスタンド３０のペダル３２０に固定されている。ペダル３２０は、たとえば蝶番を介して、ヒンジピンＺ−Ｚ回りに互いが関節接合された底面パネル３２１と上面パネル３２２とを備える。上面パネル３２２のヒンジピンＺ−Ｚの反対端には、引張ロープ３１８が何らかの適当な手段を用いて留められている。底面パネル３２１のヒンジピンＺ−Ｚの反対端は、台座３１に取り外し可能な形状にデザインされている。より具体的には、図面を参照した実施例において、この底面パネル３２１の端部は、台座３１の底面パネル３４の下面に形成された相補的な形状の凹部と嵌め合うような外形を有する。このため、ドラムキット１の演奏形態において、ペダル３２０の底面パネル３２１の端部は、図６において明らかに示されたように、底面パネル３４と合致した形状によって専ら協働して台座３１によって塞がれる。もちろん、ペダル３２０と台座３１との間を取り外し可能に接合のための他の実施例も可能である。
【００５４】
ドラムキット１の演奏形態において、ロッド３１０は締付けネジ３１６によってチューブにしっかり固定されている場合に、左足を使ってペダル３２０に力を掛けたり、パネル３２１に対してパネル３２２を近づけるようにパネル３２２を押したりすることにより、ドラマーは引張ロープ３１８、すなわちチューブ３１４、それゆえロッド３１０を下方に引くことが理解できる。言い換えると、ペダル３２０は、ドラムキット１の演奏形態において、ロッドが展開位置において、ロッドの上端に固定された上側シンバル４の対応した動きを実現するように、ハイハットスタンド３０の台座３１に対してロッド３１０を移動させることを可能にする。
【００５５】
ドラマーがペダル３２０へかけていた圧力を開放する際、ロッド３１０を上方に戻すために、ハイハットスタンド３０はハウジング３１２内にスプリング３２４を取り外し不能に備えている。更に具体的には、実施例を参照すると、スプリング３２４はチューブ３１４の周囲に、より具体的にはチューブの動く部位の回りに配置されている。図７に明らかに示されたように、スプリング３２４の上端はリング３１５を上方に押圧する一方、下端はハウジング３１２を、より具体的には、ハウジングの下面壁をチューブ３１４がスライド移動することで押圧する。チューブ３１４が下方に移動する際、リング３１５はスプリング３２４を圧縮することで、チューブを再度上方へ押しやすくする。ショックが加わることのない動作を保証するために、スプリング３２４は圧縮した状態でハウジング３１２内に配置されることが好ましく、よって、チューブ３１４を下方に引くことがなくても、スプリング３２４はハウジング３１２に対して、より具体的には、ハウジングの上面壁に対してチューブ３１４がスライド移動することでリング３１５を押圧することが理解される。これにより、ドラムキット１の演奏形態において、ドラマーがペダル３２０を踏むと、スプリング３２４がロッド３１０の下方への移動に対して弾性的に抵抗する一方、ペダル３２０へ力が作用することなくても、スプリング３２４はロッド３１０を所定位置に保持する（該当する場合、ロッドを上方に再び移動させた後）。ハウジング３１２に係る機構、チューブ３１４、引張ロープ３１８、ペダル３２０、及びスプリング３２４は、ドラマーがロッドの長手方向の移動において、ロッドの両方向への移動を調整することができ、このように、一組のハイハットシンバル２の下側シンバル３に対する上側シンバル４の接近と離間を調整することができることが理解される。
【００５６】
ドラムキット１の収納または運搬形態において、ペダル３２０は、図８〜１０に示したように、ハイハットスタンド３０の台座３１内部に完全に収容される。実際には、ペダル３２０は、台座３１の内部容積内に収容されるスネアドラム２０とスペーサー３８によって占められていない台座３１の内部容積の一部を占める。このように、スネアドラム２０は、ハウジング３１２と干渉することなく、側面パネル３５間の水平方向の離れを全て利用して、台座３１の内部容積の下半分を占めることが好ましい一方で、引張ロープ３１８と同様にスペーサー３８とペダル３２０は、これらの部品の適正な寸法を条件として、ハウジング３１２の存在を考慮しつつ、スネアドラム２０の前面パネル２３に乗るように、台座３１の内部容積の上側を占める。
【００５７】
台座３１のパネル３２〜３５と、ペダル３２０のパネル３２１と３２２とは、木製、特にベニヤ板のような多層合板から作られることが好ましい。スペーサー３８とハウジング３１２とは、ブナ材等の単一の木材で作られることが好ましい。あるいは、ハイハットスタンド３０の要素のように、叩かれたり、共鳴したりするような必要のない、台座３１、ペダル３２０、スペーサー３８、及び／またはハウジング３１２の全てあるいは一部は、木製以外の、たとえば金属、プラスチック材料等の合成素材等の材料で作られてもよい。ロッド３１０、チューブ３１４、引張ロープ３１８、及びスプリング３２４は金属製であることが好ましい。
【００５８】
上述の説明のすべてを考慮し、ドラムキット１の演奏形態から、それらを収納または運搬形態への移行については以下の通りである。ドラマーは上述した一組のシンバル２とバスドラムペダルとを外し、その後、ハイハットスタンド３０の台座３１とバスドラム１０とからスネアドラム２０を、ピン１１４，３６と凹部２７，２８との間の協働が無効になるまでスネアドラムを上方に持ち上げることで、好ましくは工具を用いずに取り外す。ドラマーは次に、ハイハットスタンド３０の構成部品を以下のように取り外す。工具無しで、台座３１の底面パネル３４からペダル３２０を取り外し、台座３１の上面パネル３３に関してスペーサー３８を取り外し、それによりスペーサーをロッド３１０に沿って持ち上がらせ、スペーサーがロッドからフリーになるまでのわずかの間、展開位置を保持させる。ドラマーは台座３１の内部容積の下半部内に、スネアドラム２０を、そのパネル２３が上を向くように置く。ドラマーはその後、ネジ３１６を緩め、ロッドの展開位置から引き込み位置に移動させるために、ロッド３１０を下方に押しながら、スネアドラム２０の貫通孔２９を通過させる。このように、貫通孔はロッド３１０によって台座３１の内部で塞がれる。スペーサー３８とペダル３２０は、図８に示したように、次に台座３１の内部容積の上部に置かれる。この段階でハイハットスタンド３０とスネアドラム２０とは図８に現れており、ついで全体として、バスドラム１０内に収容される。バスドラム１０の前面部品１１と背面部品１２とは、蝶ネジ１１２を取り外したことを条件として予め互いに離間しており、それから、パネル１７は、図９示したように、利用位置から収納位置に切り替わる。図１０に示したように、背面部品１２内に台座３１を入れ子にし、前面部品１１内に背面部品１２を入れ子にすることにより、ドラムキット１は図１１の収納または運搬形態になり、次いで前面部品１１と背面部品１２とは、蝶ネジ１１２によって互いに一体化させることができる。収納状態のパネル１７は、台座３０と干渉することなく、このため、バスドラム１０の前面部品１１と背面部品１２の間の台座に完全に入れ子にすることができる。
【００５９】
ドラムキット１の収納または運搬形態から演奏形態への移行は、上述した作業手順と反対の手順によって行われる。両方の場合において、これらの作業は、総じて、数十秒、一般には１分未満、たとえば４０秒程度で完了する。
【００６０】
バスドラム１０と、スネアドラム２０と、ハイハットスタンド３０の総重量は１０ｋｇ未満であり、総重量は９ｋｇ未満、あるいは８ｋｇ未満、あるいは７ｋｇ未満、あるいは６ｋｇ未満、あるいは５．７ｋｇであることが好ましい。これらの重量は、主要な航空会社における機内手荷物として認められている重量に従っている。
【００６１】
ドラムキットの演奏形態において、ドラムキット１は従来技術のアコースティックドラムキットの音響と完全に置き換えられる程の音響を発生する。該当すれば、この音響は、従来技術のアコースティックドラムキットのためのアクセサリーとして市販されているようなマイクロフォンで増幅させることができる。このドラムキット１は、構造を理由として、ドラムキット内に最初から内蔵されたマイクロフォンによって、前もって増幅されるようにすることが好ましい点も言及しておく。
【００６２】
最後に、以下に述べられたような、ドラムキット１に対する様々な配置と置き換えとを考慮することができる。たとえば、
−ドラムキットの各打撃表面はニス塗りすることができ、たとえば水性ワックス仕上げによれば、結果として音色が変わらないが、特にスウィングやジャズ等の音楽で用いられるブラシのスライディングのために必要な釉薬等を形成する。及び／または、
−演奏中に生じる振動によってドラムキット１が演奏形態において移動するのを防止するために、ドラムキットを、ドラムキットの収納または運搬形態において、バスドラム１０内に折り畳んで備えておけるような好ましいノンスリップマット上に置くようにする。もし可能なら、バスドラム１０、及び／または台座３１、及び／またはペダル３２０の下面及び／または下端に上述したヴェルクロ（登録商標）紐材等のマットに取り付けるための構成部品を備える。及び／または、
−ベルや、さらに一般的な打楽器アクセサリーを、バスドラム１０、スネアドラム２０及び／またはハイハットスタンドによって使用時に支持されるようにしてドラムキットに付加できる。及び／または、
−以上で示された寸法と重さの表示は、本発明にて関して全く限定されることはなく、特に航空機の機内手荷物としての運搬とかが全くないような場合、たとえば自動車のトランク内において、小さくした収納の実用性と運搬時の容易性とが保たれる限り、ドラムキット１の大きさは、もっと大きな寸法とすることができる。及び／または、
−上述したバスドラム１０、（スネア）ドラム２０、及びハイハットスタンド３０の幾何学的な形状も、本発明に関しては何ら制限されるものでなく、これらの形状は実際には、湾曲した角や、面取りされた角部のように、本質的に美的な配列を有することができる、等である。
【００６３】
（付記１）
バスドラム（１０）と、スネアドラム（２０）と、ハイハットスタンド（３０）とを備えるアコースティックドラムキット（１）であって、
前記バスドラム（１０）は、離間位置とコンパクト位置との間で互いに移動可能な２個の部品（１１,１２）を含み、前記離間位置においては前記ドラムキットが演奏形態をとるように前記スネアドラムが前記バスドラムと前記ハイハットスタンドとに対して取り外し可能に固定されており、前記コンパクト位置においては前記ドラムキットが収納または運搬形態をとるように前記スネアドラムと前記ハイハットスタンドとが前記２個の部品間であって前記バスドラム内に収容される、ことを特徴とするアコースティックドラムキット。
【００６４】
（付記２）
前記バスドラム（１０）の前記２個の部品（１１,１２）が互いに分離できることを特徴とする付記１に記載のアコースティックドラムキット。
【００６５】
（付記３）
前記バスドラム（１０）の前記２個の部品（１１,１２）は、前記バスドラムの前記２個の部品を互いに、前記離間位置と前記コンパクト位置とに選択的に堅固に組み立てるのに適した手段（１１１，１１２，１１３）が設けられることを特徴とする付記１または付記２に記載のアコースティックドラムキット。
【００６６】
（付記４）
前記バスドラム（１０）の前記２個の部品（１１,１２）は、雌部品（１１）と前記雌部品内に入れ子になることができる雄部品（１２）とからなり、前記離間位置において前記雌部品内に前記雄部品がわずかに部分的に入れ子になり、前記コンパクト位置において前記雄部品が前記雌部品内に、より多い部分であるいは完全に入れ子になる、ことを特徴とする付記１乃至付記３のいずれか１つに記載のアコースティックドラムキット。
【００６７】
（付記５）
前記バスドラム（１０）の前記２個の部品（１１,１２）は、コンパクト位置において平行六面体の全体外形形状となることを特徴とする付記１乃至付記４のいずれか１つに記載のアコースティックドラムキット。
【００６８】
（付記６）
前記平行六面体の全体外形形状は３０ｃｍ×４５ｃｍ×１８ｃｍの寸法を有することを特徴とする付記５に記載のアコースティックドラムキット。
【００６９】
（付記７）
前記離間位置での前記バスドラム（１０）の前記２個の部品（１１,１２）は、一体としてバスドラムの共鳴容積（Ｖ１０）を形成するとともに、前記コンパクト位置での前記バスドラムの前記２個の部品は、一体として前記バスドラムの共鳴容積（Ｖ１０）より小さく、前記ドラムキットの収納または運搬形態において前記ドラムキット内は前記スネアドラム（１０）と前記ハイハットスタンド（３０）とで占められる容積を形成する、ことを特徴とする付記１乃至付記６のいずれか１つに記載のアコースティックドラムキット。
【００７０】
（付記８）
前記バスドラム（１０）の前記２個の部品（１１,１２）の一方の部品（１１）は打撃パネル（１３）を備えるとともに、前記バスドラムの２個の部品のうちの他の部品（１２）は、貫通孔（１８Ａ）が設けられた音響放出パネル（１８）を備える、ことを特徴とする付記１乃至付記７のいずれか１つに記載のアコースティックドラムキット。
【００７１】
（付記９）
前記バスドラム（１０）の前記２個の部品（１１,１２）は、特に木から作られた打撃パネル（１３）と音響放出パネル（１８）であることを特徴とする付記１乃至付記８のいずれか１つに記載のアコースティックドラムキット。
【００７２】
（付記１０）
前記木は、多層合板であることを特徴とする付記９に記載のアコースティックドラムキット。
【００７３】
（付記１１）
前記打撃パネル（１３）は、タンガニーカ産のくるみ材から作られた打撃プレート（１３.１）であって、該プレートの表面は前記音響放出パネル（１８）と対向して向けられている、打撃プレートを含むことを特徴とする付記９または付記１０の一方と組み合わされた付記８に記載のアコースティックドラムキット。
【００７４】
（付記１２）
前記バスドラム（１０）の前記２個の部品（１１,１２）の一方（１１）には、利用位置と収納位置との間で、前記バスドラムの当該部品のレストに対して移動可能な移動パネル（１７）が設けられ、前記利用位置においては前記バスドラムの前記２個の部品が前記離間位置にある時に、前記移動パネルは、ドラムキットの演奏形態において、前記バスドラムの前記２個の部品の他方（１２）と協働することで保持されながら、前記スネアドラム（２０）をそこに固定するために展開するように前記レストを占めるとともに、収納位置においては前記バスドラムの前記２個の部品が前記コンパクト位置にある時に、前記ドラムキットの収納または運搬形態において、前記スネアドラムと前記ハイハットスタンド（３０）と干渉しないように前記移動パネルが引き込められるように前記レストを占める、ことを特徴とする付記１乃至付記１１のいずれか１つに記載のアコースティックドラムキット。
【００７５】
（付記１３）
前記ドラムキット（１）は、さらに前記バスドラム（１０）の前記２個の部品（１１,１２）の１個（１１）に組み込まれたタムタム（１７）を含むことを特徴とする付記１乃至付記１２のいずれか１つに記載のアコースティックドラムキット。
【００７６】
（付記１４）
前記移動パネル（１７）は打撃プレート（１７.１）と、貫通孔（１７Ａ）が設けられた音響出力プレート（１７.２）とを含む前記タムタムを形成し、両プレート間に独立した自由なタムタムの共鳴容積を形成することを特徴とする付記１２及び付記１３に記載のアコースティックドラムキット。
【００７７】
（付記１５）
前記移動パネル（１７）は木から作られたことを特徴とする付記１２または付記１４に記載のアコースティックドラムキット。
【００７８】
（付記１６）
前記木は、多層合板である付記１５に記載のアコースティックドラムキット。
【００７９】
（付記１７）
前記音響出力プレート（１７.２）と対向して向けられている、前記移動パネル（１７）の前記打撃プレート（１７.１）の表面は、タンガニーカ産のくるみ材から作られたことを特徴とする付記１５または付記１６の一方と組み合わされた付記１４に記載のアコースティックドラムキット。
【００８０】
（付記１８）
前記スネアドラム（２０）は、平行六面体の全体外形形状をなすことを特徴とする付記１乃至付記１７のいずれか１つに記載のアコースティックドラムキット。
【００８１】
（付記１９）
前記平行六面体の全体外形形状は２３.３ ｃｍ×２５.５ｃｍ×９.７ ｃｍの寸法を有することを特徴とする付記１８に記載のアコースティックドラムキット。
【００８２】
（付記２０）
前記スネアドラム（２０）は、貫通孔（２２Ａ）が設けられた音響出力パネル（２２）と、打撃パネル（２１）であって、当該打撃パネルの方を向いたその表面上に、少なくとも１個の響線（２６）が設けられた、打撃パネルとを含み、前記音響出力パネルと前記打撃パネルとの間にスネアドラムの独立した自由な共鳴容積（Ｖ２０）を形成する、ことを特徴とする付記１乃至付記１９のいずれか１つに記載のアコースティックドラムキット。
【００８３】
（付記２１）
前記スネアドラム（２０）は、特に音響出力パネル（２２）と打撃パネル（２１）のために、木から作られたことを特徴とする付記１乃至付記２０のいずれか１つに記載のアコースティックドラムキット。
【００８４】
（付記２２）
前記木は、多層合板である付記２１に記載のアコースティックドラムキット。
【００８５】
（付記２３）
音響出力パネル（２２）と対向して向けられている、前記スネアドラム（２０）の前記打撃パネル（２１）は、タンガニーカ産のくるみ材から作られたことを特徴とする付記２１または付記２２の一方と組み合わされた付記２０に記載のアコースティックドラムキット。
【００８６】
（付記２４）
前記バスドラム（１０）と前記スネアドラム（２０）とは、前記ドラムキットの演奏形態において、前記バスドラム上に前記スネアドラムが取り外し可能に固定されるのに適した第１の固定手段（１１４,２７）が設けられるとともに、ハイハットスタンド（３０）とスネアドラム（２０）とは、前記ドラムキットの演奏形態において、前記第１の固定手段とは離間位置に、前記ハイハットスタンド上に前記スネアドラムを取り外し可能に固定するのに適した第２の固定手段（３６,２８）が設けられたことを特徴とする付記１乃至付記２３のいずれか１つに記載のアコースティックドラムキット。
【００８７】
（付記２５）
前記第１の固定手段は、前記バスドラム（１０）と前記スネアドラム（２０）の一方に固定された、少なくとも１個の突起（１１４）と、前記バスドラムと前記スネアドラムの他方に形成された、突起を受け入れるための相補的な凹部（２７）を備えることを特徴とする付記２４に記載のアコースティックドラムキット。
【００８８】
（付記２６）
前記第２の固定手段は、前記ハイハットスタンド（３０）と前記スネアドラム（２０）の一方に固定された、少なくとも１個の突起（３６）と、前記ハイハットスタンドと前記スネアドラムの他方に形成された、突起を受け入れるための相補的な凹部（２８）を備えることを特徴とする付記２４または付記２５に記載のアコースティックドラムキット。
【００８９】
（付記２７）
前記第１の固定手段は、前記バスドラム（１０）とスネアドラム（２０）の一方に固定された、少なくとも１個の帯磁部材（１１４）と、前記バスドラムと前記スネアドラムの他方に固定された、相補的な強磁性部材（２７）を備えることを特徴とする付記２４乃至付記２６のいずれか１つに記載のアコースティックドラムキット。
【００９０】
（付記２８）
前記第２の固定手段は、前記ハイハットスタンド（３０）とスネアドラム（２０）の一方に固定された、少なくとも１個の帯磁部材（３６）と、前記ハイハットスタンドと前記スネアドラムの他方に固定された、相補的な強磁性部材（２８）を備えることを特徴とする付記２４乃至付記２７のいずれか１つに記載のアコースティックドラムキット。
【００９１】
（付記２９）
前記第１の固定手段（１１４,２７）は、少なくとも２つの異なる調整位置に、前記スネアドラム（２０）を前記バスドラム（１０）上に固定するのに適したていることを特徴とする付記２４乃至付記２８のいずれか１つに記載のアコースティックドラムキット。
【００９２】
（付記３０）
前記ハイハットスタンド（３０）は、前記コンパクト位置において前記バスドラム（１０）の前記部品（１１,１２）間に入れ子になることができる台座（３１）を含み、前記ドラムキット（１）の演奏形態において前記スネアドラム（２０）は前記台座（３１）上に取り外し可能に固定される一方で、前記ドラムキットの収納または運搬形態において前記スネアドラムは前記台座内に収容される、ことを特徴とする付記１乃至付記２９のいずれか１つに記載のアコースティックドラムキット。
【００９３】
（付記３１）
前記ドラムキット（１）の演奏形態において、前記台座（３１）とハイハットシンバル（３）間に挿入されるとともに、前記ドラムキットの収納または運搬形態において前記台座内に収容されるスペーサー（３８）をさらに含むことを特徴とする付記３０に記載のアコースティックドラムキット。
【００９４】
（付記３２）
前記ドラムキットの演奏形態において前記台座（３１）の反対側に位置する前記スペーサー（３８）の端部には、滑り止めパッド（３９）が設けられたことを特徴とする付記３１に記載のアコースティックドラムキット。
【００９５】
（付記３３）
前記ハイハットスタンド（３０）は、展開位置と引き込み位置との間で、前記台座（３１）に対して、その長手方向に沿って移動可能な、上側ハイハットシンバル（４）をコントロールするためのロッド（３１０）を含み、前記展開位置においては、前記ドラムキットの演奏形態において前記上側ハイハットシンバルを固定するために、前記台座の反対側に位置する前記スペーサーの端部から前記ロッドが出現するまで、前記ロッドは前記台座の外に出てスペーサー（３８）を通って延在するとともに、前記引き込み位置においては、前記ドラムキットの収納または運搬形態において前記ロッドが前記台座内に収納される、ことを特徴とする付記３０乃至付記３２のいずれか１つに記載のアコースティックドラムキット。
【００９６】
（付記３４）
前記スネアドラム（２０）には、前記ドラムキットの収納または運搬形態において、前記ロッド（３１０）を引き込み位置に、相補的に収容する貫通孔（２９）が形成されたことを特徴とする付記３３に記載のアコースティックドラムキット。
【００９７】
（付記３５）
前記ハイハットスタンド（３０）は、さらに前記ドラムキットの演奏形態において前記台座（３１）に対して、前記ロッド（３１０）を展開位置で移動させるのに適したペダル（３２０）を含み、前記ロッドは前記ドラムキットの収納または運搬形態において前記台座（３１）内に収容されることを特徴とする付記３３または付記３４に記載のアコースティックドラムキット。
【００９８】
（付記３６）
前記ペダル（３２０）は、前記ドラムキットの演奏形態において前記台座（３１）に取り外し可能に固定するのに適した第１の部位（３２１）と、前記ドラムキットの演奏形態において前記ロッド（３１０）の移動をコントロールするために、前記第１の部位（３２１）に関節接合された第２の部位（３２２）を含むことを特徴とする付記３５に記載のアコースティックドラムキット。
【００９９】
（付記３７）
前記ペダル（３２０）の前記第１の部位（３２１）は、形状を合致させることで専ら前記台座（３１）に固定されるのに適していることを特徴とする付記３６に記載のアコースティックドラムキット。
【０１００】
（付記３８）
前記ハイハットスタンド（３０）は、前記ペダル（３２０）による前記ロッド（３１０）の移動に弾性的に抵抗するとともに、前記台座（３１）内に組み込まれた専用のハウジング（３１２）内に取り外し不能に配置された、前記ロッドのためのリターンスプリング（３２４）をさらに含むことを特徴とする付記３５乃至付記３７のいずれか１つに記載のアコースティックドラムキット。
【０１０１】
（付記３９）
前記ハイハットスタンド（３０）は、前記ロッド（３１０）内に長手方向に沿って移動するチューブ（３１４）をさらに含み、当該チューブの内部には、長手方向に沿って移動する前記ロッド（３１０）が装着され、当該チューブは、前記ハウジング（３１２）を通じて長手方向に沿ってスライド可能に装着され、前記ペダル（３２０）に接続された引張ロープ（３１８）に固定され、前記ロッド（３１０）に取り外し可能に固定されるのに適しているとともに、当該チューブには、前記リターンスプリング（３２４）の一方の端が固定され、前記スプリングの他方の端は前記ハウジング（３１２）に対して押圧される、ことを特徴とする付記３８に記載のアコースティックドラムキット。
【０１０２】
（付記４０）
前記リターンスプリング（３２４）は前記ハウジング（３１２）内に圧縮状態で装着されたことを特徴とする付記３９に記載のアコースティックドラムキット。
【０１０３】
（付記４１）
前記バスドラム（１０）と、前記スネアドラム（２０）と、前記ハイハットスタンド（３０）の総重量は、１０ｋｇ未満、あるいは９ｋｇ未満、あるいは８ｋｇ未満、あるいは７ｋｇ未満、あるいは６ｋｇ未満、あるいは６ｋｇであることを特徴とする付記１乃至付記４０のいずれか１つに記載のアコースティックドラムキット。
【０１０４】
（付記４２）
前記バスドラム（１０）と、前記スネアドラム（２０）と、前記ハイハットスタンド（３０）の総重量は、５．７ｋｇ未満であることを特徴とする付記１乃至付記４１のいずれか１つに記載のアコースティックドラムキット。
【０１０５】
（付記４３）
付記１乃至付記４２のいずれか１つに記載のアコースティックドラムキット（１）と、
バスドラムペダルと、
一組のハイハットシンバル（２）と、
一組のドラムスティックあるいはブラシと、
を含む楽器の構成。
【０１０６】
（付記４４）
前記構成は、演奏形態において、前記ドラムキット（１）によって支援される少なくとも１個の他の打楽器アクセサリーを備えることを特徴とする付記４３に記載の楽器の構成。
【図１】
0006486454.tif 000002
【図２】
0006486454.tif 000003
【図３】
0006486454.tif 000004
【図４】
0006486454.tif 000005
【図５】
0006486454.tif 000006
【図６】
0006486454.tif 000007
【図７】
0006486454.tif 000008
【図８】
0006486454.tif 000009
【図９】
0006486454.tif 000010
【図１０】
0006486454.tif 000011
【図１１】
0006486454.tif 000012